Podtech/llm-jp-corpus-v4-ja_patent huggingface dataset:
(57)【要約】【課題】通気性が必要な個所とそうでないところの材質を変えることにより、足の蒸れと見栄えの問題を解決する。【解決手段】足指をカバーする足先部分（１）を通気性のある素材で形成し、その足先部分以外（２）を通気性のない素材で形成したことを特徴とする保湿靴下である。前記足指をカバーする足先部分（１）は、例えば伸縮性を有するメッシュ生地である。足先部分以外（２）を形成する通気性のない素材は、例えばエラストマー樹脂である。【選択図】図１
0003129325.tif 000002
【実用新案登録請求の範囲】
【請求項１】
足指をカバーする足先部分（１）を通気性のある素材で形成し、その足先部分以外（２）を前記通気性のある素材よりも通気性の少ない素材で形成したことを特徴とする保湿靴下。
【請求項２】
前記足指をカバーする足先部分（１）が伸縮性を有するメッシュ生地である請求項１記載の保湿靴下。
【請求項３】
前記通気性の少ない素材の通気度が０又は０と同視できる程度に微小のものである請求項１又は２記載の保湿靴下。
【請求項４】
足先部分以外（２）を形成する通気性の少ない素材がエラストマー樹脂である請求項１ないし３の何れかに記載の保湿靴下。
【請求項５】
前記足指をカバーする足先部分（１）とその足先部分以外（２）とを縦断する補強生地テープ（３）が設けられている請求項１ないし４の何れかに記載の保湿靴下。
【考案の詳細な説明】
【技術分野】
【０００１】
本考案は、保湿靴下に関する。
【背景技術】
【０００２】
保湿靴下は、保湿クリームを塗って着用することにより、足のかかとの乾燥を防ぎ、角質化した皮膚をなめらかにすることを目的として着用される。就寝中に着用するのが好ましいが、一日中着用することもできる。
【０００３】
この種の保湿靴下は、例えば、下記特許文献１により公知であり、市販もされている。特許文献１に図示された靴下は、足先部分と足首部分が除去されている。
【特許文献１】特開昭６１−１１０４２号
【考案の開示】
【考案が解決しようとする課題】
【０００４】
保湿靴下において、保湿効果を高めるには通気性を少なくすればよいが、そうすることにより足が蒸れるという欠点がある。また、通気性の少ない生地により足先が締め付けられて不快感があるという欠点がある。これが保湿靴下の最大の問題点である。上記特許文献１の靴下が足先部分と足首部分を除去しているのはこの問題を解決しようとしているのであろう。
【０００５】
しかし、足先部分を除去するのは、家庭内、特に就寝中の使用ならまだしも、外出用には相応しくない。
【０００６】
本考案は、通気性が必要な個所とそうでないところの材質を変えることにより、上記問題を解決することを目的とする。
【課題を解決するための手段】
【０００７】
本考案の保湿靴下は、足指をカバーする足先部分を通気性のある素材で形成し、足先部分以外を前記通気性のある素材よりも通気性の少ない素材で形成したことを特徴とする。
【考案の効果】
【０００８】
本考案によれば、足指をカバーする足先部分が通気性のある素材で形成されているので、蒸れることはない。また、伸縮性があるので、つま先が締め付けられるようなことはない。さらに、つま先まで、生地に覆われているので、この部分がない従来技術では事実上不可能な外出にも着用することができる。
【考案を実施するための最良の形態】
【０００９】
本考案において、「足指をカバーする足先部分」とは、足指がすべて覆われるが、触球にはほとんどかからない程度の範囲をいう。
【００１０】
「通気性のある素材」とは、足の放出する湿気を十分透過させる素材であり、多孔質で伸縮性のある布、例えば、ナイロン、ポリウレタン、ポリエステル、ポリプロピレン、等のメッシュ生地で構成されている。
【００１１】
「前記通気性のある素材よりも通気性の少ない素材」は、好ましくは通気度が０か、又は０と同視できる程度に微小である素材をいう。例えば、低密度ポリエチレン・軟質塩化ビニルプラスチック等の非通気性のエラストマーシート、通気性又は非通気性の生地の表面に前記エラストマー樹脂をラミネートあるいはコーティングしたもの、等いずれでもよく、また、複数の生地を重ね合わせて通気性のないシートに形成してもよい。
【００１２】
好ましくは、前記足指をカバーする足先部分とその足先部分以外とを縦断する補強生地を設け、足首部分を設けない。
【実施例１】
【００１３】
図１は、本考案の一実施例である保湿靴下を着用した状態を示す斜視図である。
【００１４】
この靴下は足首部分がなく、足本体（甲、足先、足裏、踵）のみをカバーしている。
【００１５】
足指をカバーする足先部分１は、伸縮性のあるナイロンのメッシュ生地からなり、通気性がある。「足指をカバーする足先部分１」とは、図２に示すように、足指がすべて覆われるが、触球にはほとんどかからない程度の範囲をいう。
【００１６】
その足先部分以外２は、表面にポリウレタンフィルム樹脂をラミネートした生地からなり、通気性がほとんどないか又は少ない。
【００１７】
足先部分１とその部分以外２を補強するテープ状の布片３が取り付けられている。その他、各部分の輪郭及び境界はやはりテープ状の布片４，５で補強されている。
【００１８】
本考案によれば、足先部分１は、通気性があるので、蒸れることはない。また、伸縮性があるので、つま先が締め付けられるようなことはない。さらに、つま先まで、生地に覆われているので、この部分がない従来技術では事実上不可能な外出にも着用することができる。
【図面の簡単な説明】
【００１９】
【図１】本考案の一実施例である保湿靴下を着用した状態を示す斜視図である。
【図２】「足先部分」を示す足の平面図（ａ）及び底面図（ｂ）である。
【符号の説明】
【００２０】
１     足指をカバーする足先部分
２     足指をカバーする足先部分以外の部分
３，４，５    補強布片
【図１】
0003129325.tif 000003
【図２】
0003129325.tif 000004
(57)【要約】      （修正有）【課題】各種の負荷運動を行う際、負荷用具の可動範囲を広くし、体が可動出来る範囲を大きくして、より多彩で自由な全身や各部分の負荷運動を行う負荷用具固定ベルトの提供。【解決手段】ベルト本体１に負荷用具固定箇所２、３、４、５を設け、そこに様々な負荷用具を固定、装着することにより、各方向への独立した自由な動きが出来るようになる。よって、体の可動範囲が広くなり、多彩で自由な全身や各部分の負荷運動に役立つ。【選択図】図３
0003129395.tif 000002
【実用新案登録請求の範囲】
【請求項１】
ベルト本体に負荷用具固定箇所を設けた負荷用具固定ベルト。
【請求項２】
負荷固定箇所を４箇所設けたことを特徴とする請求項１記載の負荷用具固定ベルト。
【考案の詳細な説明】
【技術分野】
【０００１】
本考案は、負荷用具固定箇所を設けた、ベルトに関するものである。
【背景技術】
【０００２】
負荷運動を行う場合、通常１本又は２本の負荷用具を使用するため、可動範囲が狭かった。
【考案の開示】
【考案が解決しようとする課題】
【０００３】
負荷用具を両手に持って上半身の運動を行いながら、下半身の運動を同時に行おうとすると、動きが限られているため運動範囲が狭く、また、片手片足に負荷用具を持って行う運動も同様である。従って、両手両足や体の各部分の負荷用具を固定する場所を設けることにより、負荷用具はそれぞれ独立した動きが可能になり、前述の欠点を解決しようとするものである。  
【課題を解決するための手段】
【０００４】
本考案は、ベルト本体に負荷用具固定箇所を設け、全身や体の各部分に独立した負荷運動を可能にし、問題点を解決している。また、上部２箇所は右腕、左腕用とし、下部２箇所は右脚、左脚用とすることにより、腕、脚の負荷用具の独立した動きが可能になる。
【考案の効果】
【０００５】
上述の様に、本考案の負荷用具固定ベルトは運動時の腰への負担を軽減させることは勿論、負荷用具固定箇所をベルト本体に設けたので、各方向への自由な動きが出来る様になり、より自然な動きの中で高度な負荷運動が出来る。
【考案を実施するための最良の形態】
【０００６】
ベルト本体を腰に装着し、負荷用具留め上部２箇所の内、右側は右手に、左側は左手に、又は、右側を左手に、左側を右手に持つ。また、負荷用具留め下部２箇所の内、右側は右足に、左側は左足に、または、右側を左足に、左側を右足に固定させる。
【実施例】
【０００７】
以下、添付図面に従って一実施例を説明する。１はベルト本体、２、３、４、５の場所にチューブを通し固定する。
【０００８】
６は右手、７は左手に装着し、８は右足、９は左足に装着する。
【図面の簡単な説明】
【０００９】
【図１】本考案の負荷用具固定ベルトの正面図である。
【図２】本ベルトの側面図である。
【図３】本ベルトの実施例を示す外観図である。
【符号の説明】
【００１０】
１  ベルト本体
２  負荷用具固定箇所
６  手用負荷用具
８  足用負荷用具
【図１】
0003129395.tif 000003
【図２】
0003129395.tif 000004
【図３】
0003129395.tif 000005
【手続補正書】
【提出日】平成18年11月17日(2006.11.17)
【手続補正１】
【補正対象書類名】実用新案登録請求の範囲
【補正対象項目名】全文
【補正方法】変更
【補正の内容】
【実用新案登録請求の範囲】
【請求項１】
ベルト本体に負荷用具固定部材を設けた負荷用具固定ベルト。
【請求項２】
負荷用具固定部材を４箇所設けたことを特徴とする請求項１記載の負荷用具固定ベルト。
(57)【要約】      （修正有）【課題】更衣室が設置されていない場所でも、羞恥心を増強することなく更衣をするため、洗濯物干し角ハンガーに容易に被せることができ、簡単に更衣室を作ることの出来る携帯用の覆い材を提供する。【解決手段】上部開口部１が、巾着様に絞られた円筒状で、上部開口部周縁に一箇所若干の切り込み６を有した紐状ゴム通し路２が設けられその中を紐状のゴム３が通され、若干の余裕を持ち絞られ環になっている。【選択図】図１
0003129398.tif 000002
【実用新案登録請求の範囲】
【請求項１】
上部開口部（１）が、巾着様に絞られた円筒状の更衣室覆い材。
【請求項２】
上部開口部周縁に、一箇所に若干の切り込み（６）を有した紐状ゴム通し路（２）が設けられており、その中を紐状のゴム（３）が通され、若干の余裕を持ち絞られ環になっている事を特徴とする請求項１に記載した更衣室覆い材。
【考案の詳細な説明】
【技術の分野】
【０００１】  本考案は、洗濯物干し角ハンガーに容易に被せる事ができ、簡単に更衣室を作ることの出来る携帯用の覆い材に関するものである。
【背景技術】
【０００２】  従来、更衣室が近くに設置されていない河川や海岸では、更衣を行う際、車内で行ったり車外でタオルなどを体に巻いて行っていた。
【考案の開示】
【考案が解決しようとする課題】
【０００３】  河川や海岸には、必ずしも近くに更衣室が設置されているとは限らない。車内での更衣はスペースが狭すぎて更衣がしずらく、車外でタオルを体に巻き付けての更衣は周りの視線がきになり羞心を増強させていた。
【課題を解決するための手段】
【０００４】  上部開口部（１）が、巾着様に絞られた円筒状で、上部開口部周縁に、一箇所に若干の切り込み（６）を有した紐状ゴム通し路（２）が設けられており、その中を紐状のゴム（３）が通され、若干の余裕を持ち絞られ環になっている事を特徴とする請求項１に記載した更衣室覆い材である。
【考案の効果】
【０００５】  本考案は、洗濯物干し角ハンガーに容易に被せる事ができ、簡単に更衣室を作ることが出来る。
また、折りたためば、計量で持ち運びに便利であり、保管も省スペースで済み、汚れても洗濯可能なため清潔が保てる。
【考案を実施するための最良の形態】
【０００６】  防水性の柔軟シートからなる本体（４）の上部開口部周縁に、一箇所若干の切込み（６）を有した紐状ゴム通し路（２）を設け、その中を紐状のゴム（３）を通し若干の余裕を持たせ絞り環とする。
本考案は、以上の構成によりなる。
本考案を使用する場合は、下部開口部（５）より、洗濯物干し角ハンガーに被せ上部開口部より洗濯物干し角ハンガーの吊りの部分を突出させ、車のリアゲートを開け取っ手に吊り下げたり、木などに吊るしたりし、下部開口部（５）よりくぐり中に入り更衣をする。着替え中、手に持てない衣類などをハンガーに吊るす。
本考案を汚染してしまった場合、洗濯が可能である。
また、本考案を保管する際は、小さく折りたためる。
【図面の簡単な説明】
【０００７】
【図１】本考案の斜視図である。
【符号の説明】
【０００８】    （１）      上部開口部
（２）      紐状ゴム通し路
（３）      紐状ゴム
（４）      本体
（５）      下部開口部
（６）      切り込み
【図１】
0003129398.tif 000003
(57)【要約】      （修正有）【課題】全体の構成がシンプルで、製作も簡単であり、三角型、四角型、あるいは円筒型などさまざまなかたちのものを作ることができる。又、薄い板状にすることができ、さらに畳むこともできる囲いシートの提供。【解決手段】筒状で二重に合せたシート１の左右の開口側両端に棒３を取りつけて、両端相互の棒３を引き寄せて合せた状態で連結する。筒状で二重に合せたシート１の内側には板４を開口側から挿入する。明りとして使用する場合には、シートと挿入する板は光を透過する材質のものを使用するが、シートの材質によっては挿入する板は不要である。【選択図】図１
0003129400.tif 000002
【実用新案登録請求の範囲】
【請求項１】
筒状で二重に合せたシート（１）の左右の開口側両端に棒（３）を取りつけて、両端相互の棒（３）を引き寄せて合せた状態で連結することを特徴とした、囲いシート。
【請求項２】
筒状で二重に合せたシート（１）の内側に板（４）を開口側から挿入した、請求項１記載の囲いシート。
【考案の詳細な説明】
【技術分野】
【０００１】  この考案は、室内で使用する整理箱あるいはゴミ箱などとして、あるいは各種の明りや照明器具のおおいなどとして使用する、囲いシートに関するものである。
【背景技術】
【０００２】  従来のものは、固定したかさばる容積を持つものが一般的である。また、箱は底板のついたものである。
【考案の開示】
【考案が解決しようとする課題】
【０００３】  従来のものでは、箱は底板のついた固定容器であり、収納にはかさばって不便である。室内でのちょっとした整理、例えば小さな衣類や小物の整理あるいはゴミ箱などは、日常の買い物で手に入る不要になったポリ袋などを併用するので、体裁の良い外周の囲いさえあれば必ずしも底板は不要である。また、この種のおおいを備えた明りや照明器具にしても、一般的にはフレームとおおいは固定した立体容積を持ち、薄い板状にして畳めるようなシンプルな構成のものは少ない。この考案は、上記のような課題に答える技術を提供することを目的としている。
【課題を解決するための手段】
【０００４】  この考案は、上記課題に対して次のような手段を取っている。即ち、筒状で二重に合せたシートの左右の開口側両端に棒を取りつけて、両端相互の棒を引き寄せて合せた状態で連結する。筒状で二重に合せたシートの内側には板を開口側から挿入する。明りとして使用する場合には、シートと挿入する板は光を透過する材質のものを使用するが、シートの材質によっては挿入する板は不要であり、折り目などをシートに自由に入れて形成することも考えられる。
【考案の効果】
【０００５】  この考案によると、全体の構成がシンプルで、製作も簡単である。シートの内側に板を挿入して形成すると、挿入する板を使いわけることで三角型、四角型、あるいは円筒型などさまざまなかたちのものを作ることができる。両端相互の棒の連結をはずすことで薄い板状にすることができ、さらに畳むこともできる。シートの内側に入れている板は、棒でかくれる左右の開口側両端から挿入するようにしているので、囲いシートの上下の縁はすっきりとしている。シートは、内側に挿入した板をぬき取ると、洗濯あるいは取り替えが容易で、長期使用にも耐えられる。実にシンプルで、どのような室内でも違和感なく広く使用できるもので、意匠効果も大きい。
【考案を実施するための最良の形態】
【０００６】  構成の形態は簡単そのものなので、囲いシートのかたちや大きさは大小さまざまに容易に実施できる。以下、図面により説明する。
【実施例１】
【０００７】  図１は、整理箱あるいはゴミ箱などとしての用に供する、囲いシートの実施例を示す斜視図である。シート１は二重にして下方を結合して筒状にしている。左右の開口側両端には、二重になった部分の外側に筒状シート２を設けて、棒３の丸棒を挿入している。左右の開口から板４を三枚挿入している。シート１は必然的に三角型を形成して折り畳まれ、棒３、３を引き寄せて合せた状態でクリップ５で連結している。左右の開口は外側に設けた筒状シート２と棒３でかくれて目立たない。なお、シート１は布やレザー、その他さまざまに考えられる。形状は安定のよい三角型にしているが、内側に挿入する板によって四角型、円筒型など自由に考えられる。連結手法はクリップ以外にも種々考えられる。
【実施例２】
【０００８】  図２は、明りスタンドとした実施例を示す斜視図である。構成は実施例１と同様であり、棒３は下方にも突き出して三角の台６に固定している。左右の棒３、３は、上下の位置でリング状のバンド７、７をはめることで連結している。シート１は、光が透過する材質のものを使用し、挿入する板も透明な樹脂板他光が透過する材質のものを使用する。下部に三角の台６を設けている。
【図面の簡単な説明】
【０００９】
【図１】  本考案の実施例１を示す斜視図である。
【図２】  本考案の実施例２を示す斜視図である。
【符号の説明】
【００１０】    １    シート
３    棒
４    板
【図１】
0003129400.tif 000003
【図２】
0003129400.tif 000004
(57)【要約】      （修正有）【課題】駐車時に車上の縦横用の駐車棒として使用し、交通事故を減少させる。【解決手段】自動車駐車台本体１の台裏と左右の側面とに磁石２を取りつけ、プラスチック赤面球形４をかぶせて取りはずし式とした。取りはずし式で車上の駐車棒なので後方の車両から駐車がよく見える構造であり高さ制限下では横型にして使用できる。【選択図】図１
0003129391.tif 000002
【実用新案登録請求の範囲】
【請求項１】
自動車駐車台本体（１）の台裏と左右の側面とに磁石（２）を取りつけ電球（３）を中に入れプラスチック赤面球形（４）をかぶせた取りはずし式の駐車棒の構造
【考案の詳細な説明】
【考案に属する技術分野】
【０００１】この考案は自動車駐車台本体（１）の台裏と左右の側面とに磁石（２）を取りつけ、プラスチック赤面球形（４）をかぶせて取りはずし式とした車上用の駐車棒の構造である  駐車棒に関するもの
【考案が解決する手段】
【０００２】本案は自動車の天上に取りつける物品であり道路上での駐車にあってかなり後方からも  その駐車が見通す事ができ事故防止に大きな一助となり得る  又、高さ制限の道では横向きに使用できこれ迄の駐車棒（すべてが道路上におくため後続車が発見が遅れた事を改良するために考案した手段である
【図面の簡単な説明】
【図１】本考案の正面図
【符号の説明】
（１）は自動車駐車台本体（駐車棒台の本体）
（２）は磁石
（３）は電球
（４）はプラスチック赤面球形
【図１】
0003129391.tif 000003
(57)【要約】      （修正有）【課題】従来の開口部が上部にある一般的な撒き餌カゴでは、任意のタナまでの沈下中に少量マキエがこぼれてしまう。その防止のためマキエを、カゴの中に押し込めばマキエが撒きにくくなってしまう。任意のタナまで確実にマキエを運び、的確にマキエを撒くことが出来、極力簡単な構造の撒き餌カゴを提供する。【解決手段】開口部を下方に持つカゴ本体２と、カゴ本体に吊り下げられ振り子の要領で片方のみに可動する蓋の役目も兼ね備えたオモリ３で構成される。【選択図】図１
0003129363.tif 000002
【実用新案登録請求の範囲】
【請求項１】
開口部を下方に持ち、カゴ本体に吊り下げられ、片方のみに可動する蓋の役目も兼ね備えたオモリで、構成される撒き餌カゴ。
【考案の詳細な説明】
【従来の技術と問題点】
【０００１】従来、一般的に用いられている開口部が上部にある撒き餌カゴは、構造は簡単であるが任意のタナまでの沈下時に、少量であるがマキエがこぼれることがある。またその対応としてマキエをカゴに押し詰めると、マキエがカゴより出ににくくなってしまうことが上げられる。
【考案が解決しようとする課題】
【０００２】任意のタナまでマキエを確実に運び、的確にマキエを撒くことが出来、なおかつ構造が極力簡単であること。
【課題を解決するための手段】
【０００３】開口部を下方に持ち、水圧を利用しカゴ本体を傾けるため、上部が斜めにカットされたカゴ本体と、蓋の役目も兼ね備え片方のみに、可動するカゴ本体に吊り下げられたオモリを利用するものとする。
【実施例】
【０００４】この考案による撒き餌カゴは、ステンレス及び鉛、またはプラスチック等で作られる。【０００５】図を用いての説明を、撒き餌カゴを３つの部分に分けてする。【０００６】この考案による撒き餌カゴは、図１のようにカゴ本体を支持し、仕掛け又は道糸と連結する１の部分。カゴ本体である２の部分。カゴ本体に吊り下げられる３の部分と主に３つの部分に分けられる。材質は１の部分がステンレス。２の部分がステンレスまたはプラスチック等。３の部分が鉛、ステンレスまたはプラスチック等を区分けして用いる。【０００７】この考案による撒き餌カゴの左側面図を図２に示す。【０００８】図１の３のオモリ部分を可動させ、２のカゴ本体にマキエを詰めて、１の支持部を道糸及び仕掛けで吊り上げても、３のオモリ部分が２のカゴ本体に吊り下げられているために、オモリの重さで蓋をしてマキエはこぼれない。海中沈下時及び静止時も同様である。【０００９】図３は、海中時マキエを撒くために、撒き餌カゴをシャクリ上げた図である。カゴ本体２の上部５に水圧４がかかるが、上部５は斜めにカットされているので、カゴ本体は水圧により傾くが、オモリ部分３は可動式によりその状態を保とうとする。結果カゴ本体２とオモリ部分３の間に、隙間６が出来てマキエが撒かれる。
【考案の効果】
【００１０】本考案は、マキエを無駄なく任意のタナまで運ぶことが出来るため、必要以上に魚を散らさない。少量のマキエでもタナまで届くため、手返しを早くすることなどが期待できる。
【図面の簡単な説明】
【００１１】
【図１】本考案の正面図である。
【図２】本考案の左側面図である。
【図３】本考案の使用状態を示す図である。
【符号の説明】
【００１２】１  カゴ本体を支持し、仕掛け及び道糸と結ぶ部分。
２  カゴ本体。
３  カゴ本体に吊り下げられる、主にオモリの部分。
４  水圧を表現したもの。
５  カゴ本体の斜めにカットした部分。
６  カゴ本体とオモリの部分に出来る、隙間を表したもの。
【図１】
0003129363.tif 000003
【図２】
0003129363.tif 000004
【図３】
0003129363.tif 000005
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
開口部を下方に持つカゴ本体と、カゴ本体に吊り下げられ振り子の要領で片方のみに可動する構造とする、蓋の役目も兼ね備えたオモリで構成される、撒き餌カゴ。
(57)【要約】      （修正有） 【課題】グローブカバーと模擬ボールとを紐で固定することによって、ボールの紛失を防ぎ、グローブを捕球し易い形で保管できる。【解決手段】グローブカバー本体１とに模擬ボール３とを紐２で固定することによりボールの紛失を防ぐことができ、模擬ボールを挟んで保管することによりグローブの形が捕球するのに適した形になり且つその模擬ボール３の内部は空洞で開閉することができるため、内部にグローブを拭く布やオイル等を入れることができる。また、本物のボールを使用せず、樹脂製の模擬ボール３を使用するため経済的である。【選択図】図１
0003129367.tif 000002
【実用新案登録請求の範囲】
【請求項１】
内側は空洞で開閉できるようになって小物が収納できる模擬ボールを紐で固定した野球、ソフトボールグローブ用カバー。
【考案の詳細な説明】
【技術分野】
【０００１】
本考案は、野球・ソフトボール用のグローブが捕球しやすい形状になるよう、球状のもの（模擬ボール）を付けたカバーに関するものである。
【背景技術】
【０００２】
市販されている野球・ソフトボール用グローブカバーは、ボールとカバーは独立しており、ボールをグローブにはさんでカバーでグローブを包んで固定するようになっている。
【考案の開示】
【考案が解決しようとする課題】
【０００３】
カバーとボールは別々では、ボールが紛失することがあり、本物のボールをグローブにはさむだけに使用するのは、もったいない。カバーと模擬ボールをつないでおくことによってボールの無駄及び紛失をなくし、永くカバーを使用することができる。
【課題を解決するための手段】
【０００４】
本考案は、グローブカバーに紐で模擬ボールを取り付け、カバーとボールが一体となることにより、問題点を解決している。
【考案の効果】
【０００５】
上述の様に、グローブカバーに模擬ボールを固定することで、ボールの紛失をなくし、本物のボールを使用しないため経済的である。
【考案を実施するための最良の形態】
【０００６】
両端にマジックテープ(登録商標)のついたカバーの中心部分に模擬ボールのついた紐を固定し、模擬ボールをグローブに挟み、カバーで包むことにより、捕球しやすい形でグローブを保管することが出来る。
【実施例】
【０００７】
以下、添付図面に従って一実施例を説明する。１は、マジックテープ(登録商標)が両端についているカバー本体、２は、本体と模擬ボールをつなぐ紐、３は、模擬ボール、４(1)および４(2)はマジックテープ(登録商標)。グローブの中心部に模擬ボール３を挟み、本体１でグローブを包み、マジックテープ(登録商標)４(1)、４(2)で固定する。
【０００８】
模擬ボール３は、内側は空洞で開閉が出来るようになっており、グローブ用オイルや布等の小物の収納ができる。
【図面の簡単な説明】
【０００９】
【図１】本考案の野球・ソフトボール用グローブカバーの実施例を示す図である。
【図２】本カバーのみの図である。
【符号の説明】
【００１０】
１   カバー本体
２   紐
３   模擬ボール
４(1)マジックテープ(登録商標)
４(2)マジックテープ(登録商標)
【図１】
0003129367.tif 000003
【図２】
0003129367.tif 000004
【手続補正書】
【提出日】平成18年10月30日(2006.10.30)
【手続補正１】
【補正対象書類名】実用新案登録請求の範囲
【補正対象項目名】全文
【補正方法】変更
【補正の内容】
【実用新案登録請求の範囲】
【請求項１】
内側は空洞で開閉できるようになって小物が収納できる模擬ボールを紐で固定した野球グローブ用カバー。
【手続補正２】
【補正対象書類名】明細書
【補正対象項目名】全文
【補正方法】変更
【補正の内容】
【考案の詳細な説明】
【技術分野】
【０００１】  本考案は、野球用のグローブが捕球しやすい形状になるよう、球状のもの（模擬ボール）を付けたカバーに関するものである。
【背景技術】
【０００２】  市販されている野球グローブ用カバーは、ボールとカバーは独立しており、ボールをグローブにはさんでカバーでグローブを包んで固定するようになっている。
【考案の開示】
【考案が解決しようとする課題】
【０００３】  カバーとボールは別々では、ボールが紛失することがあり、本物のボールをグローブにはさむだけに使用するのは、もったいない。カバーと模擬ボールをつないでおくことによってボールの無駄及び紛失をなくし、永くカバーを使用することができる。
【課題を解決するための手段】
【０００４】  本考案は、グローブカバーに紐で模擬ボールを取り付け、カバーとボールが一体となることにより、問題点を解決している。
【考案の効果】
【０００５】  上述の様に、グローブカバーに模擬ボールを固定することで、ボールの紛失をなくし、本物のボールを使用しないため経済的である。
【考案を実施するための最良の形態】
【０００６】  両端にマジックテープ（登録商標）のついたカバーの中心部分に模擬ボールのついた紐を固定し、模擬ボールをグローブに挟み、カバーで包むことにより、捕球しやすい形でグローブを保管することが出来る。
【実施例】
【０００７】  以下、添付図面に従って一実施例を説明する。１は、マジックテープ（登録商標）が両端についているカバー本体、２は、本体と模擬ボールをつなぐ紐、３は、模擬ボール、４（１）および４（２）はマジックテープ（登録商標）。グローブの中心部に模擬ボール３を挟み、本体１でグローブを包み、マジックテープ（登録商標）４（１）、４（２）で固定する。【０００８】  模擬ボール３は、内側は空洞で開閉が出来るようになっており、グローブ用オイルや布等の小物の収納ができる。
【図面の簡単な説明】
【０００９】
【図１】本考案の野球用グローブ用カバーの実施例を示す図である。
【図２】本カバーのみの図である。
【符号の説明】
【００１０】  １  カバー本体
２  紐
３  模擬ボール
４（１）マジックテープ（登録商標）
４（２）マジックテープ（登録商標）
(57)【要約】      （修正有）【課題】仏壇についている「うす引き」が形式的なテーブルとしての役割としてしか機能していない為の解決等。【解決手段】うす引きを完全に引き出してしまい、足２をネジ部３とネジ穴４で当接することによって、うす引きを仏壇から独立したテーブルとして利用する。また、うす引きを完全に引き出してしまった仏壇には空白ができるため、取手部分をはめ込むことによって、仏壇の外観を損なわないようにする。【選択図】図２
0003129365.tif 000002
【実用新案登録請求の範囲】
【請求項１】
仏壇についているうす引きが、引き出して足をつけることによって、テーブルとして利用できるように加工してあることと、うす引きを抜いた後仏壇に付けるうす引きの取手部分。
【考案の詳細な説明】
【技術分野】
【０００１】  本考案は、仏壇に付いているうす引きに関する
【背景技術】
【０００２】  従来のうす引きでは、引き出して使用するのみだった。
【考案の開示】
【考案が解決しようとする課題】
【０００３】  しかし、これでは、物を乗せる重量に耐えかねるのと、幅が狭いため、仏具やお供え物を乗せる機能を有していない。
【課題を解決するための手段】
【０００４】  そこで、うす引きを完全に引き出してしまい、４本の足を付けることによって、うす引きを、仏壇と切り離したテーブルの状態として使用できるように考案した（図２）。また、うす引きを仏壇から引き抜いてしまった状態では、仏壇に穴が空いてしまい、仏壇の外観を損なってしまうために、うす引きの取手のみで作った取手部分も作成した（図３）。
【考案の効果】
【０００５】  よって、本考案のテーブル機能付きうす引きにより、仏具やお供え物を乗せるためのテーブルを用意しなくても済むようになる。また、取手部分をうす引きに入れることによって、仏壇の外観を損なうこともなくなる。
【考案を実施するための最良の状態】
【０００６】  本考案に係るテーブル機能付うす引き（図１）は、図２に示すように、足２を付けることによってテーブルになる機能を有している。そして、この足２にはネジ部３が加工されている。このネジ部３をネジ穴４にはめ込むことによって、テーブルとして利用される。取手部分図３は、うす引きと同じ塗りで仕上げておくことが望ましく、普段は仏壇の引き出しに収納できるように、５ｃｍ程度の奥行きで加工しておく。
【図面の簡単な説明】
【０００７】
【図１】  本考案に係るテーブル機能付うす引きが、仏壇に収まっている状態の図である。
【図２】  テーブル機能付うす引き完全に仏壇から出した状態の図である。
【図３】  テーブル機能付うす引きを出した後に、仏壇に付けるうす引きの取手部分の図である。
【符号の説明】
【０００８】  １    うす引き
２    足
３    ネジ部
４    ネジ穴
【図１】
0003129365.tif 000003
【図２】
0003129365.tif 000004
【図３】
0003129365.tif 000005
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
足を取り付ける為のネジ部を備えたテーブル機能付きうす引き。
(57)【要約】      （修正有）【課題】浴用椅子を折りたたみ収納式にすることで浴室を効率よく使う。【解決手段】浴室用の、老人、障害者向けに使われる椅子を折りたたみ、及び組み立て式にすることで使用しないときは折りたたんで収納し、使用するときは収納箱を開いて椅子の形に組み立てて使用すれば、いちいち椅子を外に持って出なくてもその場で収納できて洗い場が広く使える。【選択図】図２
0003129369.tif 000002
【実用新案登録請求の範囲】
【請求項１】
浴室内の壁にアンカーボルトにて本体を取り付けて、二つ折れの蓋の部分を開くと蓋の内側に樹脂製の折りたたみ椅子が取り付けてあり、使用するときは組み立てて椅子の形に出来、使用後は折りたたんで格納して蓋をすれば、壁より１５ｃｍ以下で収納できる。もしくは壁に厚さがあれば埋め込み式にすれば０ｃｍで収納することも可能。
以上を特徴とした「収納式浴用椅子」です。
【考案の詳細な説明】
【技術分野】
【０００１】本考案は、折りたたみ収納式にした浴用椅子に関するものです。
【背景技術】
【０００２】従来の浴用椅子は、椅子の形のものを浴室に持ち込んでいたので、使用しないときは邪魔になる。
【考案の開示】
【考案が解決しようとする課題】
【０００３】椅子の必要ない人が入浴するときは折りたたんで収納箱の中に格納して入浴の邪魔にならないようにする。
【課題を解決するための手段】
【０００４】浴室の壁に椅子収納箱を取り付け、椅子を使用しないときは折りたたんで収納箱の中に格納して蓋をすれば壁から１５ｃｍ以内に収まり洗い場の広さを確保できる。
【考案の効果】
【０００５】折りたたみ式の椅子なので必要なときには取り出して組み立てて使用し、不必要なときは格納しておけるので洗い場が広く使え、またすべて樹脂で出来ているので水で丸洗い出来るので掃除も簡単で衛生的でもある。
【考案を実施するための最良の形態】
【０００６】工場で組みあがった収納箱を浴室に持ち込み壁にアンカーボルトを埋め込みそのボルトに収納箱を取り付け、使用する時は蓋を開け蓋（本体Ｂ）の固定キーをセットし中の椅子を組み立てて使用し、使用後は椅子をたたんで格納し固定キーを解除して蓋を閉めると厚さ１５ｃｍ以下で収納できるので洗い場が広く使える。
【図面の簡単な説明】
【０００７】
【図１】収納箱の正面図です
【図２】本体Ｂ（蓋）の正面図です
【図３】すわり板の上面図です
【図４】すわり板の正面図です
【図５】本体Ｂ（蓋）の固定鍵の詳細
【符号の説明】
▲１▼      本体Ａ
▲２▼      二つ折れ部分（蝶番）
▲３▼      本体Ｂ（座ったときのよかり板兼用）
▲４▼      手すり固定溝
▲５▼      本体Ｂ固定鍵
▲６▼      本体Ａ固定アンカーボルト
▲７▼      外側脚固定溝（内部で回転）
▲８▼      内側脚固定溝（引っ掛け式）
▲９▼      座り板取り付け部
▲１０▼    手すり
▲１１▼    脚用はまり込み溝
▲１２▼    座り板
▲１３▼    外側脚
▲１４▼    内側脚
▲１５▼    手すりセット用シャフト
▲１６▼    ストップボス
▲１７▼    固定ボルト用ネジ穴
▲１８▼    ストッパーキー
【図１】
0003129369.tif 000003
【図２】
0003129369.tif 000004
【図３】
0003129369.tif 000005
【図４】
0003129369.tif 000006
【図５】
0003129369.tif 000007
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
浴室内の壁にアンカーボルトにて本体が取付けてあり、二つ折れになした蓋が開くようになっており、蓋の内側には樹脂製の折りたたみ椅子を取り付けてあり、これを組み立てて使用し、使用後は折りたたんで壁に向って蓋をするように収納させることを特徴とした収納式浴用椅子。
【手続補正書】
【提出日】平成18年11月27日(2006.11.27)
【手続補正１】
【補正対象書類名】実用新案登録請求の範囲
【補正対象項目名】請求項１
【補正方法】変更
【補正の内容】
【請求項１】
浴室内の壁にアンカーボルトにて蓋付き本体を取付けると共に、蝶番を介し蓋が浴室内へ開くようになしてあり、また蓋の内側には樹脂製の折りたたみ椅子を取り付けてあり、これを組み立てて使用し、使用後は折りたたんで壁に向って蓋をするように収納させることを特徴とした収納式浴用椅子。
(57)【要約】      （修正有）【課題】マーケット等で惣菜等の防臭や水漏れ防止のために包装台に準備されている極薄のビニール袋を、生ゴミ廃棄に再利用する目的で、容易に廃棄できるような構造に考案した生ゴミ集積容器を提供する。【解決手段】プラスチック容器の上部、側面に扉状に開閉する蓋を設け、側面の蓋の部分をビニール袋に差込み、指で蓋の突起を押すことで蓋が蓋の抑えの部分から外れて、蓋の部分を下に傾けることで、蓋は重みで全開して、容器内の生ゴミをビニール袋へ落とし移せる生ゴミ集積容器。【選択図】図１
0003129366.tif 000002
【実用新案登録請求の範囲】
【請求項１】
図１に示すようなプラスチックの容器の上部、側面に扉状に開閉する蓋を設け、図２に示すように側面の蓋の部分をビニール袋に差込み、指で蓋の突起を押ことで蓋が蓋の抑えの部分から外れて、蓋の部分を下に傾けることで、蓋は重みで全開して、容器内の生ゴミをビニール袋へ落とし移せる生ゴミ集積容器。
【考案の詳細な説明】
【技術分野】
【０００１】本案は、マーケット等で惣菜等の防臭や水漏れ防止のために包装台に準備されている極薄のビニール袋を、生ゴミ廃棄に再利用する目的で、容易に廃棄できるような構造に考案した生ゴミ集積容器。
【背景技術】
【０００２】流し台に用いる生ゴミ容器は、流し台の隅に設置していて容器はザルの機能と同様蓋も無く、上から生ゴミを入れてそのままの状態で溜めて置き、容易に取り出すために、専用の網目状の袋を利用している場合がある。
【考案の開示】
【考案が解決しようとする課題】
【０００３】流しの隅に用いる容器は、上部に蓋が無く、生ゴミがむき出しの状態であり清潔感を損なうとともに、生ゴミから異臭が発生するような状態の時は少量の生ゴミでも別の容器に移すか異臭を我慢するかである。
【課題を解決するための手段】
【０００４】図１に示すようなプラスチックの容器の上部、側面に扉状に開閉する蓋を設け、図２に示すように側面の蓋の部分をビニール袋に差込み、指で蓋の突起を押ことで蓋が蓋の抑えの部分から外れて、蓋の部分を下に傾けることで、蓋は重みで全開して、容器内の生ゴミをビニール袋へ落とし移せる生ゴミ集積容器。
【考案の効果】
【０００５】本案の容器は、
（１）真空式の接着器具を用いるため、流し台の側面何処にでも設置できること。
（２）容器から生ゴミを取り出す方法は、容器の側面にビニール袋を差込み、蓋を開くことで、ゴミの重みでビニール袋に容易に落とせる。
（３）容器の上部、側部に蓋を設たことで容器内に保存となるため、清潔感と防臭の効果をもたらす。なお、生ゴミの水切りは、容器の下部の蓋に隙間を設け、隙間からしみ出す方法をとる。
（４）マーケットで惣菜等の防臭や水漏れ防止のたに使用しているビニール袋を生ゴミの廃棄に再利用できる。この再利用により、流し台の三角コーナーの生ゴミ容器に用いる専用の袋が不要で節約できる。
（５）上記（４）記載のビニール袋は、入り口の端と端を丸めて結ぶことが可能で、ビニール袋内は密封状態が保てる。そのため、バケツ等に移して別容器で数日間保存する場合でも保存が容易である。
以上のような効果が想定される。
【考案を実施するための最良の形態】
【０００６】容器の成型、蓋の設置等、現在の製造技術を以ってすれば全く問題ないし、安価に製造可能である。
【図面の簡単な説明】
【０００７】
【図１】  容器全体図（一方の側面と上部の蓋が開いた状態）。注１．寸法等の記載の数字は、大部分の大人が片手で掴める大きさであり、ビニール袋の大きさ、プラスチックの強度等で適切な寸法、厚みを選択できる。注２．側面の蓋と容器には、必要に応じて水漏れがする隙間（溝を切る等）を設けて、生ゴミの水切りを可能とする。
【図２】  ゴミ取り出し時の容器とビニール袋の状態。
【図１】
0003129366.tif 000003
【図２】
0003129366.tif 000004
【手続補正書】
【提出日】平成18年10月31日(2006.10.31)
【手続補正１】
【補正対象書類名】実用新案登録請求の範囲
【補正対象項目名】全文
【補正方法】変更
【補正の内容】
【実用新案登録請求の範囲】
【請求項１】
再利用する目的のビニール袋のサイズに合ったプラスチック容器の側面に、扉状に開閉する蓋を設けることによって、容器の側面をビニール袋に差込み、指で蓋を押し開いて容器を傾けることで、容器内にある生ゴミをビニール袋へ落とし移せる生ゴミ集積容器。
(57)【要約】【課題】施工図をＣＡＤで書くことがまだ一般化していない。【解決手段】関連業者内外に関わらずＣＡＤデーターの共有化を推進することで普及を促進する。現場にて三角スケールがあれば、基準点（固定２点）が変更になっても対応出来る。【選択図】図１
0003129360.tif 000002
【実用新案登録請求の範囲】
【請求項１】
任意の基準点２箇所を設定し、同心円で回転する２個の台座治具上に既製の巻尺をおのおの取り付け、その巻尺の先端部位の固定穴に釘を用いて、それぞれ任意の基準点２箇所に固定し、必要とされる２点間距離に測定治具を持って移動しマーキングを行う。
【考案の詳細な説明】
【技術分野】
【０００１】  本考案は、既製の巻尺２個使って任意の不等辺三角形を簡易に測定位置出し出来る治具である
【背景技術】
【０００２】  過去の建築現場等において、必要任意点を求めるためにＸ座標とＹ座標上を同時に垂直移動して必要任意の交点を求める方法。
【考案の開示】
【考案が解決しようとする課題】
【０００３】  足元の状態がつねに変化する建築現場において、Ｘ座標とＹ座標上を同時に垂直移動して複数箇所の必要任意点を求めるには作業の煩雑さと複数要員必要とする部分。
【考案が解決するための手段】
【０００４】    近年建築業界において、ＣＡＤの導入が進み施工図の精度と測量機能が充実し、建物内外の必要任意点を２点測量データーを簡単、正確に施工図等に反映できるようになった背景があり、今まで現場において、Ｘ座標とＹ座標上を同時に垂直移動して必要任意点を求めていましたが、同心円で回転する２個の台座上に既製の巻尺を取付け出来る治具により、任意２箇所の基準点は移動させることなく複数の必要任意点を、施工図から現場に反映出来るようになった。
【考案の効果】
【０００５】  測量に複数要員必要であったが、１人で測量できるようになった事でコストを下げ、且つ基準点の移動が少なくなったため作業性がよくなった。
【考案を実施するための最良の形態】
【０００６】  リアルタイムに変化する建築現場で任意の２点基準点が現場で使用できるようにその他工事関係者との工程打ち合わせが必要で尚且つＣＡＤで２点の基準点位置を決定する際には、事前に現場の状況を判断し２点の基準点位置が余儀なく変更しないよう検討し、場合によっては別位置の基準点図面を別に作成しておく必要がある。
【図面の簡単な説明】
【００７】
【図１】  平面を表したもの
【図２】  側面を表したもの
【符号の説明】
【００８】１既製巻尺
２既製巻尺台座
３既製巻尺固定板
４既製巻尺ストッパー操作開口
５既製巻尺ストッパー
６コンクリート釘による固定穴
７スケール部ガイド
８寸法読み取りマーク
９水準器
１０握り手
１１ゴム製固定リング
１２寸法読み取りマークとコンクリート釘による固定穴の位置関係は同一とする
【図１】
0003129360.tif 000003
【図２】
0003129360.tif 000004
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
縦軸となる棒体と、その縦軸を中心に水平同心円で回転するプレート２個の組み合わせによる基本構成であり、縦軸の棒体上部には水準器を設置、縦軸に対し水平に回転する２個のプレートの先端には巻尺取り付け台をおのおの設置する構成とする
建築現場において、床面に必要とされる、給水管、排水管、給湯管、ガス管、フロアーコンセント類等の複数位置出しを一人で迅速に行うための三角測量治具
【手続補正書】
【提出日】平成18年11月30日(2006.11.30)
【手続補正１】
【補正対象書類名】手続補正書
【補正対象項目名】手続補正２
【補正方法】削除
【補正の内容】
(57)【要約】      （修正有）【課題】ＤＶＤデスクにシールを貼る際、簡単で、正確に位置を決めて貼ることができ、しかもそのための器具を使わなくてもできるシールを提供する。【解決手段】ＤＶＤに貼るために用いられる剥離紙２が、ＤＶＤケースの蓋の内側の大きさに切断され、接着剤塗布面と一体化されている。その一辺から対向辺に一直線に切断箇所６が施されており、接着剤塗布面は、そのＤＶＤデスクの形状に円形４に切断されている。その円形の外周部分に接してより外側に、剥離紙は一直線上に切断された切断部分５と同時に切断されている。【選択図】図１
0003129359.tif 000002
【実用新案登録請求の範囲】
【請求項１】
ＤＶＤに張るために用いられる剥離紙のデスクに張る部分がその大きさに切断された接着剤塗布面と一体化されているシリコンなどの塗られた紙の部分を、真ん中から一直線に切断面を入れること。
【請求項２】
【考案の詳細な説明】
【技術分野】
【０００１】      本考案はＤＶＤデスクに関するものである。
【背景技術】
【０００２】      パソコンやＤＶＤレコーダーなどで映像を記録した際にそのデスクに何が記録されたかを記しておくためにシールを貼ったりしている。このシールは今までにいくつか販売されている。その形態はタック紙などを打ち抜いて。のりが貼られている部分をはがして取り出してデスクに貼り付けている。そのために道具も販売されている。
【考案の開示】
【考案が解決しようとする課題】
【０００３】        自分でＤＶＤ，やＣＤにのりのついたシールを貼り付ける際に器具を使った場合は、のりが手についたりして扱いづらい。おまけに器具を使わなければならないので面倒でもある。この様な事はＤＶＤに映像を記録する以前から、同じような問題があった。それはビデオテープに記録したさいも、めんどうなものでシールを貼るときにいい加減に押し付けてしまうと、斜めにくっついてはがすとシールが切れてしまったりした。この事はＤＶＤを使うようになった現在も同じような問題をはらんでいる。そこで、できる限りこのシールを貼り付ける際の作業を事を簡単にできるような方法についてである。
【課題を解決するための手段】
【０００４】    問題を解決するための手段として、剥離紙を使うことは同じであるが、その剥離紙の加工を今までとは違う加工を施すことによって、きわめて簡単に、しかも専用器具を使うことなく、ＤＶＤにシールを貼り付けることができる。それは図に示すように、剥離紙の裏面に（接着剤がついていないほう）に縦に切込みを入れておくことによって、図にあるようにシールを裏面にしてもちあげることによって接着剤を手につけることがなくはがすことができる。そしてこのシールをＤＶＤのケースに差し込んでおけば、半分ほどはがした段階で、図にあるようにケースを一度閉めて押し付けると、正確にＤＶＤデスク本体に貼り付けることが可能になるのである。
【考案の効果】
【０００５】      上記のようにすることによって、専用の器具を使うことがなく、ＤＶＤのケースを用いてデスクに貼り付けることができるので、使用する頻度も増えてくるのであり、今まで経験してきた。シールを貼ることのわずらわしさが軽減して、映像を記録しておく立場からは作業性が増すことになるのである。
【考案を実施するための最良の形態】
【０００６】      ＤＶＤケースに正確に入るシールを作る事によって。デスクとシールの張る面が正確に一致する。それで、張る際にはケースを押し付けるだけで張り位置が正確に決められるので、後はまだはられていない残りの部分の紙を引き抜いても張り位置はずれることはない。その後でまたケースの全体を軽く押すことによって、完全にデスクにシールをはりつける事ができるのである。
【実施例】
【０００７】    以下添付図面に従って一実施例を説明する。図１は本考案の剥離紙の加工された図の接着剤が塗られた面とそうでない裏面の図である。【０００８】    図２はこの剥離紙を使って既成のＤＶＤケースにシールを差し込んで、図３ＤＶＤにシールを貼り付けて、図４残りの紙を引き抜いて、図５軽く全体を押し当てることによってＤＶＤデスクにシールが張り付いて、さぎょうはかんせいする。
【産業上の利用可能性】
【０００１０】    産業における利用可能性は、この考案ではすぐに分かるように、剥離紙を単独で販売できることはもちろん、ＤＶＤケースの専用メーカーがはじめからこそのケースに本剥離紙をセットして、販売することもできるし、またＤＶＤデスクを販売しているメーカーにおいても、同様にして、本剥離紙をはじめから挿入して販売することも可能であるので、本シールの製造に関する産業上の利用可能性は大きく広がることになるのである。
【図面の簡単な説明】
【図１】      本考案の剥離紙と切断部分の図である。
【図２】      ＤＶＤケースに剥離紙を挿入する図である。
【図３】      剥離紙が半分ほどはがされたのをＤＶＤケースをはさんで位置を固定している図である。の内部側面図で、プリンター部が起動していない図である。
【図４】      一部固定されたシールの残りのはがす部分を引き抜く図である。
【図５】      紙がすべてはがし終わって、ＤＶＤケースを軽く全体を押し付けて、シールをデスクに固定する図である。
【符号の説明】
１  接着剤が塗られた紙
２  接着剤が強くつかないようにシリコンなどが塗られた紙。
３  ＤＶＤドライブの芯が入る部分の切断箇所
４  デスクの外周にあわせた円形の切断箇所
５  剥離紙を剥す為の切断部分
６  シリコンなどが塗られた紙の切断箇所
【図１】
0003129359.tif 000003
【図２】
0003129359.tif 000004
【図３】
0003129359.tif 000005
【図４】
0003129359.tif 000006
【図５】
0003129359.tif 000007
【手続補正書】
【提出日】平成18年8月14日(2006.8.14)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤに張るために用いられる剥離紙が、ＤＶＤケースの蓋の内側の大きさに切断され、接着剤塗布面と一体化されているシリコンなどが塗られた紙の一方の部分が、その一辺から対向辺に一直線に切断箇所が施されたＤＶＤシール。
【請求項２】
接着剤塗布面はそのＤＶＤデスクの形状に円形に切断されていると同時にその円形の外周部分に接してより外側に、シリコンなどの塗布された剥離紙の一辺から対向辺への切断面と同時に切断されているＤＶＤシール。
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤに張るために用いられる剥離紙が、ＤＶＤケースの蓋の内側の大きさに切断され、接着剤塗布面と一体化されているシリコンなどが塗られた紙の一方の部分が、その一辺から対向辺に一直線に切断箇所が施されており、接着剤塗布面は、そのＤＶＤデスクの形状に円形に切断されていると同時に、その円形の外周部分に接してより外側に、シリコンなどが塗布された剥離紙の一直線上に切断された切断部分と同時に切断されているＤＶＤシール。